(57)【要約】【課題】ＯＰＣに時間を要すること。ＯＰＣを実行した場所と実際に記録する場所が異なること。【解決手段】記録層を多層有する光ディスクにおいて、全ての記録層においてＯＰＣを実行し求めた記録条件を、当該ディスクに記録する。そして、次回以降当該ディスクにてＯＰＣが必要となった場合に、少なくとも一つ以上の層で新たにＯＰＣを実行する。新たにＯＰＣを実行し求めた記録条件と、前記ディスクに記録した過去の記録条件の情報を用い、新たにＯＰＣを実行していない層の記録レーザパワーを算出する。【選択図】  図１
2008090982.tif 000002
【特許請求の範囲】
【請求項１】
記録層が多層存在する光ディスクに対して、各記録層に信頼性のあるデータを記録するための適当な記録レーザパワーを求める処理であるＯＰＣを実行することによって求めた各記録層の記録条件を当該ディスクに記録する手段を有し、次回当該ディスクにて記録レーザパワーを求めるときに、少なくとも一つの記録層においてＯＰＣを実行し、求まった記録条件と、前記ディスクに記録しておいた記録条件を用いることで、新たにＯＰＣを実行しなかった記録層に対する記録レーザパワーを算出する手段を有することを特徴とする光ディスク装置。
【請求項２】
請求項１記載の光ディスク装置において、
次回当該ディスクにて記録レーザパワーを求めるときに、ＯＰＣを実行する記録層は、当該ディスクの記録層の中で、最も記録レーザのパワーマージンが狭い記録層で行うことを特徴とする光ディスク装置。
【請求項３】
請求項１記載の光ディスク装置において、
次回当該ディスクにて記録レーザパワーを求めるときにＯＰＣを実行する記録層は、ディスクにデータを記録するときのレーザとの位置関係が、最も近い記録層であることを特徴とする光ディスク装置。
【請求項４】
請求項１記載の光ディスク装置において、
ディスクに記録する記録条件は、各記録層における記録レーザパワー情報を含み、前記記録レーザパワーを求めたＯＰＣを実行したときの温度情報と、前記記録レーザパワーを求めたＯＰＣを実行したときの日時の少なくとも一つを含むものであることを特徴とする光ディスク装置。
【請求項５】
請求項４記載の光ディスク装置において、
ＯＰＣを実行したときの日時によって、ディスクに記録する記録条件を更新することができることを特徴とする光ディスク装置。
【請求項６】
請求項４記載の光ディスク装置において、
あらかじめ温度を温度帯域で区切っておき、温度帯域別に応じた、記録条件をディスクに記録することを特徴とする光ディスク装置。
【発明の詳細な説明】
【技術分野】
【０００１】
本発明は、光ディスク装置に関わるものである。
【背景技術】
【０００２】
記録型の光ディスクにデータを記録するには、レーザ光を光ディスク記録面に照射し、熱を加える。これにより、ディスク記録面に記録マークを形成し、データとして記録する。この際、ディスクに記録するためのレーザパワーは、従来では、光ディスク規格において論理的に設けてあるパワー調整用の領域において、記録レーザパワーの調整を行い決定している。以下、該記録レーザパワー調整のことをＯＰＣ（Ｏｐｔｉｍｕｍ Ｐｏｗｅｒ Ｃｏｎｔｒｏｌ）と称す。
【０００３】
記録層を多層有する光ディスクには、ＯＰＣを実行するための領域が各層に設けてあり、それぞれの層でＯＰＣを実行することにより、各記録層に適した記録レーザパワーを求めることができる。各層の記録レーザパワーを求めることで、層に応じた記録レーザパワーにて安定したデータの記録を可能としている。（特許文献１参照）
但し、一旦求めた記録レーザパワーは当該光ディスクに対して常に最適な記録レーザパワーであるとは限らない。これは、温度環境によって、レーザ出力の特性やレーザの波長、記録膜面の感度が、変化するためである。そのため、ディスクを挿入し直した時や、ディスク挿入中において前回ＯＰＣを実行した時の周囲温度と温度差が出てきた場合などで、温度環境の変化があり得る場合において、適当な間隔でＯＰＣを実行し直し、記録時の温度環境に応じた記録レーザパワーを再び算出している。
【０００４】
【特許文献１】特開２０００−３１１３４６号
【発明の開示】
【発明が解決しようとする課題】
【０００５】
背景技術に記す方法での課題を以下に記す。背景技術に示す従来の方法では、ディスクを挿入してからディスクに最初に記録するとき、そして前回ＯＰＣを実行した時との周囲温度に差が生じたとき、ＯＰＣを実行する。ここで、記録層を多層有する光ディスクにおいて、全ての層で安定にデータを記録できるようにするためには、ＯＰＣを記録層の数だけ実行し、それぞれの層に適した記録レーザパワーを算出する必要がある。
【０００６】
各層にてＯＰＣを実行するには、レーザの焦点を目標の記録層に合わせる処理、ＯＰＣを実行する領域にレーザを照射させるために、光ピックアップを位置づける処理が必要である。これらの処理の後にＯＰＣを実行することとなる。よって、ディスクの記録層が増えた場合においては、全ての層において上記工程が必要となり、記録準備が整うまでに、時間を要する。
【０００７】
記録準備を整うまでの時間が掛かることになると、光ディスクドライブ装置を適用したアプリケーションにおいて、アプリケーション自体のパフォーマンスを低下することに繋がる。たとえばカメラなどのように、リアルタイム情報を記録する装置に光ディスクドライブを適用している場合、撮影したい瞬間に記録の準備が整っておらず、決定的瞬間を撮り逃すようなことが起り得る。
【０００８】
本発明は、記録層を多層有する光ディスクにおいて、記録準備を整えるための記録レーザパワー算出処理を簡素化することで、上記課題を解決する。
【課題を解決するための手段】
【０００９】
記録層を多層有する光ディスクにおいて、全ての記録層においてＯＰＣを実行し求めた記録条件を、当該ディスクに記録する。そして、次回以降当該ディスクにてＯＰＣが必要となった場合に、少なくとも一つ以上の層で新たにＯＰＣを実行する。新たにＯＰＣを実行し求めた記録条件と、前記ディスクに記録した過去の記録条件の情報を用い、新たにＯＰＣを実行していない層の記録レーザパワーを算出する。
【発明の効果】
【００１０】
光ディスクドライブ装置の使い勝手の向上に繋がりユーザメリットとなる。
【発明を実施するための最良の形態】
【００１１】
本発明を実施するにあたり、一般的な光ディスクドライブ装置に特別な機能を付加する必要はない。
まずは本発明の説明の前に、一般的な光ディスクドライブ装置を示す図３を用い、従来のＯＰＣについて説明をし、その後本発明についての説明を行う。
【００１２】
光ディスク装置にて光ディスク３０１にデータを記録するための記録レーザパワーを算出するＯＰＣは、光ディスク３０１に設けられたＯＰＣ専用領域に、試しに記録し、記録部を再生することで記録に適したレーザパワーを算出する処理である。
【００１３】
まずドライブ制御システム３０２が、スピンドル機構３０６を制御し、光ディスク３０１を回転させる。光ディスク３０１においてＯＰＣを実行する記録層に対して、光ピックアップフォーカス調整機構３０８と、チルト調整機構３０９を用いて、光ピックアップ３０４の位置調整を行う。その後、光ピックアップ駆動機構３０５は、３０１上のＯＰＣ専用領域内のドライブ制御システム３０２が指定した領域にて記録ができるよう光ピックアップ３０４を制御し、ドライブ制御システム３０２が指定した領域に位置づける。
そして、位置づけたＯＰＣ専用領域内の一部分を使用し、記録レーザパワーを変動させて試し記録、すなわちＯＰＣを行う。
【００１４】
図４に、３０１上のＯＰＣ専用領域を拡大したものを示す。ＯＰＣ専用領域全体を４０１で示し、１回のＯＰＣで使用する領域を４０２で示す。図４に示すように、４０３、４０４、４０５、４０６、４０７、４０８、４０９、４１０のようにレーザパワーを変動させ記録する。次に、領域４０２の再生を行う。４０２に光ピックアップ３０４を位置づけ、ドライブ制御システム３０２がレーザ制御装置３０３へ記録パワーより低い再生用のレーザパワーを照射するよう指示する。光ピックアップ３０４から再生用のレーザパワーを照射し、領域４０２の反射光を再生信号として光ピックアップ３０４を経て取得する。このときの再生信号から記録品質の指標値となる値を取得する。これにより、再生箇所の記録品質を評価することができる。
【００１５】
ここで、記録時に４０３，４０４、４０５，４０６，４０７、４０８、４０９，４１０のようにレーザパワーを変動させて記録しているため、各レーザパワーにて記録した領域をそれぞれ再生することにより、変動させたパワー毎に、記録品質の指標値４１１、４１２、４１３、４１４、４１５、４１６、４１７、４１８が取得できるため、レーザパワーと記録品質の指標値との関係を算出することができる。この関係を元に、記録時のレーザパワーを調整することが可能である。上記が一般的なＯＰＣである。本例は一例であるため、レーザパワーの変動回数や指標値の分布などは、これに限ったことではない。
【００１６】
記録層を多層持つ光ディスクの場合は、上記工程を記録層の数だけ実行し、各記録層における記録レーザパワーを算出する。
【００１７】
以下に、本発明のＯＰＣについて述べる。本発明のＯＰＣでは、従来のＯＰＣを実行したら、求めた結果をディスクに記録しておく。そして、次回ＯＰＣが必要となった時には、必要最低限の層においてのみ、新たにＯＰＣを実行する。そして、新たに実行した層でのＯＰＣの結果と、前記ディスクに記録しておいた結果との両方を用いて、ＯＰＣを実行しなかった層に対する記録レーザパワーを計算により算出する。
【００１８】
これにより、全記録層において毎回ＯＰＣを実行する必要がなくなるため、ＯＰＣ時間の短縮効果がある。以下に本発明の手順を示す。
【００１９】
まず当該光ディスクドライブにて一度もＯＰＣを実行したことのない光ディスクに関しては、一度全ての記録層においてＯＰＣを実行する必要がある。ＯＰＣを実行することで、各記録層に応じた記録レーザパワーが求まる。求めた各記録層における記録レーザパワーの情報と、対応する記録層番号を対にした情報を当該ディスクに記録する。
【００２０】
前記ディスクに記録した情報（以下、過去ＯＰＣ情報とする）には、各記録層における記録レーザパワー情報が含まれている。この過去ＯＰＣ情報から、記録層間の相対的な記録レーザパワーの関係がわかる。
【００２１】
以下図１を用いて例を説明する。たとえば、記録層をＮ層有する光ディスクにおいてそれぞれの記録層にてＯＰＣした結果、記録層に対する記録レーザパワーの関係が得られたとする。これが前記過去ＯＰＣ情報となる。過去ＯＰＣ情報１０１を見ると、記録層Ｘに記録するための記録レーザパワーは、記録層Ｙに記録するための記録レーザパワーを基準として、
記録層Ｘの記録レーザパワー  ：  記録層Ｙの記録レーザパワー  ＝  PｗＸ  ：  PｗＹ
の関係で表すことができる。他の記録層についても同様に、ある記録層を基準として、記録レーザパワーを表すことができる。つまり、過去ＯＰＣ情報１０１があれば、各記録層が必要とする記録レーザパワーを、各記録層との相対的関係を利用し算出することができる。
【００２２】
当該ディスク１０２において新たにＯＰＣが必要となる場合は、過去ＯＰＣ情報１０１を再生し、各記録層における相対的な記録レーザパワーの関係を取得する。そして、前記関係を利用することで、ＯＰＣは新たに少なくとも一つの層で実行すれば、ＯＰＣを実行した記録層で求まった記録レーザパワーと、過去ＯＰＣ結果情報を用いることで、各記録層における記録レーザパワーを計算により算出することができる。
【００２３】
例として、前述した記録層をＮ層有する光ディスクに、過去ＯＰＣ情報１０１として図１のデータが光ディスク１０２に記録してある状態の時に、当該ディスク１０２においてＯＰＣが再度必要となった場合について説明する。当該ディスク１０２に対し、新たに記録層ＸにてＯＰＣを実行したとする。ここで、求まった記録レーザパワーがPwNewXであった場合、残りの記録層の記録レーザパワーは、新たにＯＰＣを実行したことにより求めたＯＰＣ情報１０３と、ディスクに記録してある過去ＯＰＣ情報１０１の関係を用いて、１０４式に示す計算により算出することができる。本計算例は一例であるため、算出方法は本例のような計算式でなくても構わず、過去ＯＰＣ情報と、新たに実行した少なくとも一つの記録層におけるＯＰＣ情報１０３から算出するのであればいかなる計算式であっても良い。
【００２４】
前記方法により、ＯＰＣを実行していない記録層の記録レーザパワーを求めることができ、ＯＰＣを実行しない記録層分の時間を短縮することができる。
【００２５】
ＯＰＣが必要となった時に、少なくとも一つの記録層でＯＰＣを実行しなくてはならない理由は、過去ＯＰＣ情報１０１を記録した時のＯＰＣ実行温度環境と、次回ＯＰＣを実行する時の温度環境が異なることを想定している。ＯＰＣを実行する時の温度環境が異なる場合は、前述したように、ＯＰＣにより求まる記録レーザパワーの値が異なる可能性が高い。少なくとも一つの記録層で、ＯＰＣを実行することにより、ＯＰＣ実行時の温度環境に応じた記録レーザパワーを求めることができるため、求めた記録レーザパワーを基準として、過去ＯＰＣ情報１０１に記録してある記録層毎のレーザパワーの関係を適用すれば、新しい温度環境に適応した各記録層のレーザパワーを一括算出することができる。
【００２６】
以上のように、本発明を利用することで、一度全記録層に対してＯＰＣを実行し、過去ＯＰＣ情報１０１を光ディスク１０２に記録しておけば、次回ＯＰＣが必要となる時には、少なくとも記録層が多層あるうちの一つの層においてだけ新たにＯＰＣを実行すれば、全記録層に対する記録レーザパワーを算出することができる。
【００２７】
過去ＯＰＣ情報１０１として記録する記録パワー情報は、１０１に示すように、記録レーザパワー値でも良いし、あらかじめ次回ＯＰＣを実行するための基準記録層が決まっているような状況であれば、基準記録層に対する記録レーザパワーの比率でも良い。各記録層のレーザパワーの相対的な関係がわかる情報であればいかなる情報でも構わない。
【００２８】
新たにＯＰＣを実行する記録層である基準記録層の決め方として以下に例を示す。ＢＤ−Ｒディスクでは、ディスクの外周側にＤＣＺ（ＤｒｉｖｅＣａｌｉｂｒａｔｉｏｎＺｏｎｅ）が定められている。ＤＣＺは、ドライブ装置がユニークに利用して良い領域として定義されている。ディスクの外周側においてＯＰＣを実行したい場合においては、本領域をＯＰＣ用の領域として利用する方法が考えられる。但し、記録層を多層有するディスクにおいてＤＣＺを利用しＯＰＣをする場合に懸念される事項がある。
【００２９】
以下、図２を用いて懸念事項を説明する。記録層を多層有するディスクにおいてＯＰＣを実行するには、ＯＰＣを実行する領域が存在する同一半径位置に、他の記録層にて記録部が存在するか否かが問題となる。図２左図のように、ＯＰＣをレーザ２０５から見てディスク２０１の奥側の記録層２０２にて実行する場合、レーザ２０５から見て手前の記録層２０３、２０４の同一半径位置にデータが記録されているかどうかが問題となる。図２右図のように、記録レーザ２１４から見て手前側の記録層２０９、２１０にデータ記録部２１２、２１３がＯＰＣデータ２１１の同一半径位置に存在する場合、ＯＰＣデータ２１１を再生した時に、再生光２１４は、記録部２１２、２１３の影響を受ける。そのため、図２左図のようにＯＰＣデータ２０７が存在する記録層２０２の手前側の記録層２０３、２０４に記録部が無い場合と再生光２０６から取得する再生信号の品質が変わってしまう。
【００３０】
記録層を二層有するＢＤ−Ｒディスクにおいては、ディスク製造時の張り合わせの具合によっては、二つの記録層が有するＤＣＺが存在する半径位置が、同一半径位置にくる場合や、ＤＣＺと記録データ位置の半径位置が重なる場合が想定できる。この場合、前述したように、ＯＰＣの結果が安定しない。
【００３１】
そこで前記問題を回避するためには、ディスク外周でＯＰＣを実行する場合は、レーザから見て最も手前に存在する記録層でＯＰＣを実行すれば良い。これにより、他の記録層の影響を受けることはないので、安心してＤＣＺを活用することができると言える。
【００３２】
以上を踏まえると、本発明では、あらかじめディスク内周に存在するＯＰＣ領域を利用して、各記録層の記録レーザパワーの関係を過去ＯＰＣ情報として記録しておき、ディスク外周でＯＰＣを実行したい場合は、新たにＯＰＣを実行する記録層である基準記録層を、レーザから見て最も手前の記録層とし、該記録層のＤＣＺ又は、外周でＯＰＣに利用できる領域を利用してＯＰＣを実行する。そして、過去ＯＰＣ情報と、レーザから見て、最も手前の記録層における外周ＯＰＣの関係を利用して、他の記録層の外周位置における記録レーザパワーを計算にて算出する。
【００３３】
基準記録層を決定する方法をもう一例示す。記録層が多層ある光ディスクにおいては、各記録層における記録レーザパワーに対する感度特性がそれぞれ異なる。ディスクの感度特性が異なることで、ディスクに記録する時のレーザパワーが変動した時における記録データの信頼性が変わる。図５に、記録レーザパワー（横軸）と、データの記録品質指標値（縦軸）を表す関係（以下、記録パワーマージン）を測定した図を示す。縦軸の記録品質指標値は、一般的にジッタやエラーレートなどの値が用いられる。図５では、記録品質指標値が小さい値の時に記録品質が良好であることを表している。
【００３４】
記録品質の指標の基準値を５０３とした時に、記録層によっては、５０２のように記録レーザパワーが変動しても５０３を下回る領域５０４が広い、いわゆる記録パワーマージンが広い記録層と、５０１のように、記録パワーマージン５０３が狭い、記録レーザパワーの変動に弱い記録層がある。この場合、記録レーザパワーの変動に弱い記録層においては、データを記録する時の記録レーザパワーは、記録レーザパワーが高い方向、低い方向のどちらに変動しても比較的対応できるパワーである、記録レーザパワー５０６を精度良く求めることが好ましい。
【００３５】
よって、本発明を適用するにあたり、記録パワーマージンが狭い記録層の記録レーザパワーを精度よく求めることを最優先に考え、基準記録層を記録レーザパワーマージンが最も狭い記録層とする。これにより、計算で算出する時と比べ、ＯＰＣを実際に実行する基準記録層では、精度良く記録レーザパワーを決定することができる。
【００３６】
記録パワーマージンが狭い記録層が複数あった場合は、新たにＯＰＣを実行する記録層を増やしても良い。新たにＯＰＣを実行する記録層を増やしても、記録層を特定しているため、従来のように常にＯＰＣを全ての層で実行する場合と比べて時間的に優位である。
【００３７】
以上のように、新たにＯＰＣを実行する基準記録層を決定すれば良い。但し、これらは一例であるため、基準記録層を決定する方法は、これらに限ったことではない。
【００３８】
以下、本発明の別の実施例を示す。
過去ＯＰＣ情報に、過去ＯＰＣを実行した時の温度情報を加えて記録しておくと、次回ＯＰＣを実行する場合にさらにＯＰＣ時間の短縮化が図れる。過去ＯＰＣ情報に温度情報を記録しておけば、次回ＯＰＣが必要となった温度環境との比較が可能となる。ここで、過去ＯＰＣ情報と次回ＯＰＣが必要となった時の温度環境が似たような環境であった場合は、新たにＯＰＣを実行することなく過去ＯＰＣ情報をそのまま利用すれば良い。
【００３９】
例として、過去ＯＰＣ情報が記録してあるディスクを、ドライブに挿入しデータを記録する場合を述べる。従来では、挿入したディスクに対してＯＰＣを実行し、その温度環境に応じた記録レーザパワーを算出するが、本発明を利用することで、当該ディスクに過去ＯＰＣ情報がある場合は、過去ＯＰＣ情報の温度環境と現在の温度環境がほぼ同じ温度環境である場合は、記録レーザパワーを再び求める必要はなく、過去ＯＰＣ情報をそのまま利用し、過去ＯＰＣ情報の記録レーザパワーで記録を開始すれば良い。これにより、データを記録するまでの時間（ＯＰＣの時間）をさらに短縮することが可能となる。
【００４０】
さらには、１回でもＯＰＣを実行した温度環境であれば、次回からＯＰＣを一切実行せずに記録レーザパワーを算出できるようにするため、温度環境毎に、過去ＯＰＣ情報を蓄積して全て当該ディスクに記録しておく方法もある。
【００４１】
図６に示すように、あらかじめ温度環境の帯域をＡ、Ｂ、Ｃ、Ｄ、Ｅのように区切っておき、ＯＰＣを実行した時の温度環境に応じて、実行したＯＰＣの結果を過去ＯＰＣ情報としてディスクに記録していく。この場合は、未実施の温度帯域でＯＰＣが必要となった場合は、新たにＯＰＣが必要であるが、新たに実行したＯＰＣ結果はディスクに蓄積されていくため、その後１回でもＯＰＣを実行した温度帯域であれば、一切ＯＰＣをすることなく記録レーザパワーを決定することが可能となる。温度帯域別に記録する情報としては、全記録層のレーザパワー情報でも、基準記録層のレーザパワー情報でも構わない。記録ディスクの記録層の特性に合わせて決めれば良い。
【００４２】
過去ＯＰＣ情報のさらなる拡張として、過去ＯＰＣ情報の信頼性を向上させるための例を示す。光ディスクの記録膜面特性の経時的な変化を考慮した場合に、ＯＰＣを実行した日時を過去ＯＰＣ情報としてディスクに記録しておくことで、過去ＯＰＣ情報の信頼性を管理することができる。当該ディスクにおいて、ＯＰＣが必要となった時に、過去ＯＰＣ情報のＯＰＣ実行日時を確認し、あまりにも時間が経ちすぎていた場合においては、過去ＯＰＣ情報の信頼性がないことがわかる。この場合は、本情報を無効化し、新たにＯＰＣを実行することで、新規に過去ＯＰＣ情報としてディスクに記録する。このように定期的に過去ＯＰＣ情報を更新することで、ディスクの記録膜特性の経時的な変化にも対応できる。
【００４３】
これら実施例を適宜利用することで、本発明をさらに効果的にすることができる。
過去ＯＰＣ情報のディスクへの記録領域としては、各社の光ディスクドライブとの互換性を図るために、光ディスクの論理規格に影響を与えない領域に記録することが望ましい。
【００４４】
たとえば、ディスクの内周や外周に存在する、ドライブ固有の情報を書き込むことを許可している領域に記録すればよい。例を挙げれば、ＢＤ−Ｒには、前述したＤＣＺが存在し、ドライブ固有のユニークな情報を記録して良い領域が存在するため、前記領域を利用しディスクに記録すれば良い。他の光ディスクにおいても、同様に利用できる領域に記録しておけば良い。
【００４５】
又、前記領域にて過去ＯＰＣ情報を記録するときに、過去ＯＰＣ情報は、該情報を求めた光ディスクドライブ固有のユニークな情報であるため、当該ドライブの情報であることを判別するためのユニークな情報も一緒に記録する必要がある。あるいは、過去ＯＰＣ情報に、前記ドライブ固有のユニークな情報を含めても良い。
【図面の簡単な説明】
【００４６】
【図１】本発明のOPC実施例
【図２】記録層を多層有する光ディスクにおけるデータ再生比較
【図３】一般的な光ディスク装置構成図
【図４】一般的なＯＰＣの方法
【図５】記録層によるパワーマージン比較
【図６】過去ＯＰＣ情報の持ち方の一例
【符号の説明】
【００４７】
１０１…過去ＯＰＣ情報、  １０２…光ディスク、  １０３…OPC情報、
１０４…計算式、  ２０１…ディスク、  ２０２…奥の記録層、
２０３，２０４…手前の記録層、  ２０５…レーザ、  ２０６…再生光、
２０７…ＯＰＣデータ、  ２０９,２１０…手前側の記録層、  ２１４…記録レーザ、
２１１…ＯＰＣデータ、  ２１２，２１３…データ記録部、
３０１…光ディスク、  ３０２…ドライブ制御システム、  ３０３…レーザ制御装置、
３０４…光ピックアップ、  ３０５…光ピックアップ駆動機構、
３０６…スピンドル機構、  ３０８…光ピックアップフォーカス調整機構、
３０９…チルト調整機構、  ４０１…ＯＰＣ専用領域、  ４０２…領域、
４０３,４０４,４０５,４０６,４０７,４０８,４０９,４１０…レーザパワー、
４１１,４１２,４１３,４１４,４１５,４１６,４１７,４１８…記録品質の指標値、
５０１,５０２…記録レーザパワーの変動、  ５０３…記録品質の指標の基準値、
５０４…領域、  ５０６…記録レーザパワー。
【図１】
2008090982.tif 000003
【図２】
2008090982.tif 000004
【図３】
2008090982.tif 000005
【図４】
2008090982.tif 000006
【図５】
2008090982.tif 000007
【図６】
2008090982.tif 000008